(57)【要約】  【目的】  本発明は、会議室や更衣室の出入口に取付けられるスライドパネルに関するものであり、間仕切りパネルによって構成された空間の出入口に簡単に取付けられて、しかも、床面の傾斜、凹凸に影響されず円滑な摺動を得られて、さらに、設置されている間仕切りパネルの一枚を取外して転用可能で、又、使用される場所に対応して、施錠機能を簡単に付加することが出来るスライドパネルを得る事を目的とする。    【構成】  出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けたものである。【選択図】    図２
2005139660.tif 000002
【特許請求の範囲】
【請求項１】
出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けた事を特徴とするスライドパネル。
【請求項２】
出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けると共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたことを特徴とするスライドパネル。
【発明の詳細な説明】
【技術分野】
【０００１】
本発明は、会議室、あるいは、更衣室の出入口に取付けられるスライドパネルに関するものである。
【背景技術】
【０００２】
執務空間をセクション別に区画したり、個人のワークステーションを構成したり、あるいはコミュニケーション空間を構成したりする間仕切り用のパネルは、使用される空間の環境に適応するよう、多様な機能、サイズ、色、形状のものが提供されている。
そして、構成された空間をさらに必要に応じて手軽に区画したり、あるいは、区画された空間を開放したりすることで、間仕切り用のパネルによって区画された空間内を種々の使い方ができる機能を有するものとして、床面に対して略鉛直の間仕切りパネルを複数枚、平面視において平行に重なるよう並べて配設し、この間仕切りパネルにおける表裏両面のうち隣接する間仕切りパネルに面する側に、横方向に延びるレール溝を少なくとも上下一対設ける一方、前記間仕切りパネルの端部における上下に、前記レール溝にその長手方向に摺動可能に嵌り係合する連結体を装着したものがある。（例えば、特許文献１参照。）
【０００３】
しかしながら、上記構成では、上下一対の連結体の係合爪を、他方の間仕切りパネルにおける上下一対のレール溝に嵌り係合させて、パネル同士をスライド可能に連結し、摺動するパネルの荷重はキャスターによって支持されているので、床面の傾斜、凹凸に沿って、摺動するパネルが上下動し、結果として、上下のレール溝内で上下の連結体が摺動中上下動する事となり、レール溝と連結体の嵌り係合では前記上下動によりレール溝と連結体とが干渉するため、パネルが円滑に摺動しなかったり、あるいは、全く摺動しなかったりして使い勝手が非常に悪かった。
又、摺動するパネル下側の連結体と間仕切りパネルの下側のレール溝の連結作業を、床面と摺動するパネル下面の狭い間隙で行わねばならず作業性が非常に悪かった。
さらに、上記構成のものは、直線上に引き延ばした状態を維持する機能（施錠装置）を有していないため、人が不意に出入りすることを防ぐことができず、更衣室等の出入口には使用できなかった。
【０００４】
【特許文献１】特開２００２−１４６９５１号公報
【発明の開示】
【発明が解決しようとする課題】
【０００５】
本発明は、既に設置されている間仕切りパネルによって構成された空間の出入口に、現地での加工を特に必要とせず簡単に取付ける事ができ、しかも、床面の傾斜、凹凸に影響されずに円滑な摺動を得る事が出来て、さらに、設置されている間仕切りパネルの一枚を取外して転用することもでき、又、使用される場所に対応して、施錠機能を簡単に付加することが出来るスライドパネルを得る事を課題とする。
【課題を解決するための手段】
【０００６】
そこで、上記課題を解決する為、本発明が第１の手段として構成したところは、出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けたものである。
【０００７】
次に、本発明が第２の手段として構成したところは、出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けると共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたものである。
【発明の効果】
【０００８】
請求項１に記載の発明によると、出入口の上方で少なくとも出入口の開口幅全幅にわたって上面が開口した案内溝を形成し、スライドパネルには案内溝に上方から嵌入する嵌入突片を有する上部振れ止め部材を設けているので、スライドパネルの移動時にスライドパネルが横揺れすることなく、スムーズな摺動状態を得る事が出来る。又、スライドパネルは、間仕切りパネルのアジャスターに代えて固定キャスターを取付けたものであるため、間仕切りパネルをスライドパネルとして転用することが出来、キャスターを固定キャスターとしたことにより、スライドパネルが固定キャスターに支持された状態で移動方向が一定し、スムーズな摺動状態を得る事が出来る。さらに、下部振れ止め部材を固定キャスター間に位置して間仕切りパネルに取付けているので、キャスター間の寸法から下部振れ止め部材の左右方向の寸法を差し引いた寸法をスライドパネルの移動幅とすることができ、さらに、固定キャスターと下部振れ止め部材を当接させることで、スライドパネルの開閉方向への移動のストッパーとすることが出来るので、構造が簡素となり安価に製作できる。
又、下部振れ止め部材はスライドパネルの下方から外嵌しているので、間仕切りパネルに下部振れ止め部材を取付けた状態で、スライドパネルを一度持ち上げてその下面を下部振れ止め部材に落とし込むことにより、下部振れ止め部材をスライドパネルの下面に外嵌させることができ、そして、部材上部倒れ止め部材をスライドパネルの上方から嵌合できるので、取付作業が非常に容易である。
【０００９】
請求項２に記載の発明によると、請求項１の発明の効果に加え、ロック杆とロック杆の操作部を内蔵したロックユニットをスライドパネルとは別部材として構成し、スライドパネルに着脱自在としているので、施錠機能を必要とする場所にスライドパネルを使用するときのみ、スライドパネルの開放側端部にはロックユニットを、間仕切りパネルにはロック座を、それぞれ現場で取付けるだけで、スライドパネルに施錠機能を付加することができる。
又、区画された空間の使用形態が変わった時（例えば、会議室を更衣室にかえる場合等）でも、スライドパネルにロックユニットだけを後から取付けることができるため、間仕切りパネル、および、スライドパネルの広汎な使用が可能となる。
【発明を実施するための最良の形態】
【００１０】
出入口の上方で少なくとも出入口の開口幅全幅にわたって上面が開口した案内溝に、上方から嵌入する嵌入突片を有する上部振れ止め部材を、間仕切りパネルのアジャスター取付位置に固定キャスターを取付けて構成されたスライドパネルの上端に設ける一方、スライドパネルの下面に外嵌する下部振れ止め部材を、前記固定キャスター間に位置するよう間仕切りパネルの出入口側下面に着脱自在に設けると共に、スライドパネルの開放側端面に、ロック杆とロック杆の操作部を内蔵したロックユニットを間仕切りパネルの連結金具をもって着脱自在とし、スライドパネルが出入口を閉鎖した時にロック杆が位置する個所に対応して、間仕切りパネルの所定位置にロック座を着脱自在に設ける事により、ロック杆をロック座に係脱自在としたものである。
【実施例１】
【００１１】
図１は、本発明を使用した間仕切り用のパネルの斜視図を示している。
符号１・・・は間仕切りパネルを示し、符号６はスライドパネルを示し、符号４は出入口１００の上部に配設された上框材を示し、符号５はロックユニットを示している。
間仕切りパネル１は、図７に示すように、アルミ材の押出し成形により形成された上枠１１、下枠１２と、アルミ材の押出し成形により形成された左右の縦枠１３、１３と、上枠１１、下枠１２、左右の縦枠１３、１３の各端部を連結するアルミ材より成形された上下左右のコーナー金具２・・・と、上枠１１と下枠１２と左右の縦枠１３、１３間の表裏両面にペーパーハニカム１５を介して圧着された表面板１６・・・（図５）等より構成されている。
【００１２】
上枠１１は、上縁部１１１と、上縁部１１１の下方に突出して形成された表面板上支持突部１１４よりなり、上表面板上支持突部１１４内部が空洞とされ、空洞の左右端部を左右の上側のコーナー金具２、２の一部が圧入嵌合する上側の圧入嵌合孔１１６、１１６としている。
【００１３】
下枠１２は、上枠１１の一部を加工して形成され、上枠１１と上下対称に配設されている。
すなわち、下枠１２は、下縁部１２１と、下縁部１２１の上方に突出して形成された表面板下支持突部１２４よりなり、表面板下支持突部１２４の内部が空洞とされ、空洞の左右端部を左右の下側のコーナー金具２、２の一部が圧入嵌合する下側の圧入嵌合孔１２６、１２６とし、下縁部１２１の所定位置にアジャスター２００、又は、キャスター３００の取付孔１２９、１２９が形成されている。
【００１４】
左右の縦枠１３、１３は左右対称形に形成されているので、一方側についてのみ説明する。
縦枠１３は、側端面の上下方向に端面側が小さく奥部側が大きく形成された横向き台形状の連結用嵌合溝１３１を有する基部１３０と、基部１３０の奥部側に形成された表面板側支持突部１３３と、表面板側支持突部１３３の内部の上下方向に円形空洞部を有し、円形空洞部の上下端部を左右の上下のコーナー金具２、２との連結螺孔１３４、１３４とした連結用突条１３５より構成され、基部１３０と表面板側支持突部１３３、連結用突条１３５０にて形成された空洞の上下端部を、上側のコーナー金具２の一部および下側のコーナー金具２の一部が圧入嵌合する圧入嵌合孔１３６、１３６としている。
【００１５】
左右上下のコーナー金具２・・・は、上枠１１、下枠１２、左右の縦枠１３、１３の各端部を互いに連結する際、上下及び左右対称に同一のものが各角部に配置、使用されている。
ここでは、上枠１１と左右の縦枠１３、１３のうち、一方の縦枠１３の上端とを連結する上側のコーナー金具２について説明する。
すなわち、上側のコーナー金具２は、端部に縦枠１３の連結用嵌合溝１３１と同形の嵌合切り欠き部２１を有するコーナー基板２３と、コーナー基板２３の下面より下方に突出し、前記縦枠１３の上側の圧入嵌合孔１３６に圧入嵌合する縦枠圧入嵌合突部２４と、コーナー基板２３から突出し、前記上枠１１の圧入嵌合孔１１６に圧入嵌合する上下枠圧入嵌合突部２５と、コーナー基板２３の上面より上方に突出し、表裏両側にスライド凹溝２７、２７を有する支持突条２６より構成され、コーナー基板２３には、縦枠１３の連結螺孔１３４に対応して、貫通孔２０が形成されている。
【００１６】
そして、間仕切りパネル１が他の間仕切りパネル１、あるいは、ロックユニット５等と連結されない場合は、コーナー金具２にコーナーキャップ２８が取付けられる。
すなわち、コーナーキャップ２８は、縦枠１３の連結螺孔１３４およびコーナー金具２の貫通孔２０に対応して、取付け孔２８０が形成され、支持突条２６に外嵌し、連結用嵌合溝１３１、及び、嵌合切り欠き部２１の上端面を隠蔽する。
又、下枠１２と左右の縦枠１３、１３の下端とを連結する下側のコーナー金具２として使用される場合には、上下枠圧入嵌合突部２５０に形成されたアジャスター取付用螺孔２９に、下枠１２のアジャスター取付孔１２９を貫通したアジャスター２００（又は、固定キャスター３００）が螺合して使用される。
一方、スライド凹溝２７、２７には受け部材２０１がスライド自在に取付けられる。
【００１７】
そして、左右の縦枠１３、１３の上下圧入嵌合孔１３６、１３６に上下のコーナー金具２、２の縦枠圧入嵌合突部２４、２４を圧入嵌合させ、上下枠１１、１２の上下の圧入嵌合孔１１６、１２６に上下のコーナー金具２、２の上下枠圧入嵌合突部２５、２５を圧入嵌合させて、それぞれを互いに連結することにより基枠が構成され、基枠の表裏両面に、ペーパーハニカム材１５を介して表面板１６・・・を圧着する事により、間仕切りパネル１が構成される。
上記の如く構成された複数枚の間仕切りパネル１・・・は、コーナーキャップ２８に代わる直線連結金具３０、支柱用直線連結金具、Ｔ字形連結金具、十字形連結金具、Ｌ字形連結金具９、段違い連結金具４０、支柱用端部連結金具９０、及び、支柱５０によって間仕切りパネル１の上部同士が連結され、連結部材３、及び、支柱５０によって下部同士が連結される。
【００１８】
尚、以下の説明では、スライドパネル６が間仕切りパネル１の端部に対して延出する方向を閉鎖側とし、スライドパネル６が間仕切りパネル１の端部に対して退行する方向を開放側とする。
スライドパネル６は、間仕切りパネル１の上下枠１１、１２と、間仕切りパネル１の左右の縦枠１３、１３と、上枠１１、下枠１２、左右の縦枠１３、１３の各端部を連結する間仕切りパネル１と同一のコーナー金具２・・・と、上枠１１と下枠１２と左右の縦枠１３、１３間の表裏両面にペーパーハニカム１５を介して圧着された表面板１６より構成され、下枠１２には、スライドパネル６が間仕切りパネル１と平行に移動するよう、間仕切りパネル１のアジャスター２００、２００に代わって固定キャスター３００、３００が固定されている。
【００１９】
そして、ロックユニット５が取付けられずに使用される場合、スライドパネル６の上下枠１１、１２と左右の縦枠１３、１３を連結するコーナー金具２・・・には、コーナーキャップ２８・・・が取付けられ、さらに、閉鎖側の縦枠１３には、スライドパネル６の移動操作用の把手６０が取付けられている。
すなわち、スライドパネル６は、間仕切りパネル１のアジャスター２００に代わって固定キャスター３００を取付け、さらに、閉鎖側の縦枠１３に把手６０を取付けることによって構成されているので、既設の間仕切りパネル１をスライドパネル６として転用することが可能である。
【００２０】
ロックユニット５（図３参照）は、外枠５１と、外枠５１内に上下動自在に設けられたロック杆５２と、ロック杆５２を上下動させる操作部５３より構成され、コーナーキャップ２８、２８に代わる支柱用端部連結金具９０、９０（詳細は後記する。）をもって、スライドパネル６の開放側端面に着脱自在に連結される。
【００２１】
すなわち、外枠５１は、操作部取付用基板５１１と、操作部取付用基板５１１の前後端部にスライドパネル６側に向かって連設された前後面板５１２、５１３より、スライドパネル６側に上下方向に渡って組み付け用開口５１４を有する横断面略コ字形をなし、外形寸法が支柱５０の外形寸法に一致する大きさに形成されている。
そして、４隅に支柱用端部連結金具９０、９０の嵌合突起９０３・・・が嵌合する嵌合孔５１５・・・と、中央部に支柱用連結孔９０９に対応する外枠連結孔５１６、５１６と、組み付け用開口５１４側に連結脚体９０４の逃し用切欠き５１７、５１７を有する上下閉塞板５１８、５１９が上下端面に固着され、内面上部に案内支持板５２１が固着され、案内支持板５２１に案内保持板５２２が組み付け用開口５１４側からネジ止めされて、ロック杆５２を上下動自在に支持し、後面板５１３の上端部にロック杆５２の上端部が外部に突出するロック杆挿通孔５２３が形成されている。
符号５２４は、案内支持板５２１と同形の補強板を示している。
【００２２】
ロック杆５２は、下端部がロック杆５２の操作部５３にネジ止め連結され、中間部が９０度捻られた状態で案内支持板５２１と案内保持板５２２間に上下動自在に保持され、上部がＬ字形に折り曲げられてロック杆挿通孔５２３より間仕切りパネル１側で上方に突出し、間仕切りパネル１の上端面に取付られたロック座５４に上端部が係脱自在に形成されている。
ロック座５４は、ロック杆５２の上端が下方から嵌入する係止孔５４１と取付孔５４２、５４２を有する取付部５４３より構成され、スライドパネル６が閉鎖状態のときロック杆５２の上方に位置する個所に連結される。
【００２３】
操作部５３は、外面にキー孔が臨み操作部取付用基板５１１に取付けられた錠前５３１と、キーの回動に伴って回動する錠前５３１に設けられた内筒（図示せず）によって上下動する錠前上下杆５３２を有し、錠前上下杆５３２の上端がロック杆５２の下端とネジ止め連結されている。
【００２４】
支柱用端部連結金具９０（図１１参照。支柱用端部連結金具９０は、前述したようにロックユニット５とスライドパネル６を連結するときにも使用されるが、後記する高さの異なる間仕切りパネル１・・・を直線形、Ｔ字形、十字形に連結するときも、段違い連結金具４０とともに使用される。）は、上側のコーナー金具２の支持突条２６に外嵌する下向きコ字形の外装部９０１と、支柱５０の上面に位置する閉塞部９０２と、閉塞部９０２の４隅下面から下方に突出し、支柱５０の上嵌合孔５０３・・・に嵌合する嵌合突起９０３・・・と、外装部９０１と閉塞部９０２の連続部分の下面から下方に突出し、縦枠１３の嵌合溝１３１、と支柱５０の支柱嵌合溝５０４に嵌合する連結部材３と横断面同形の連結脚体９０４と、縦枠１３の連結螺孔１３４に一致する連結孔９０５を有する連結用筒部９０７と、閉塞部９０２の中央に形成された支柱５０の連結孔５０１に対応する支柱用連結孔９０９より構成されている。
【００２５】
ロックユニット５と支柱用端部連結金具９０は上記の如く構成され、コーナーキャップ２８、２８を取外したスライドパネル６の開放側端面に組み付け用開口５１４側を密着させた状態を維持しながら、支柱用端部連結金具９０を上下方向から、嵌合突起９０３・・・を上下閉塞板５１８、５１９の嵌合孔５１５・・・に嵌合すると同時に、連結脚体９０４、９０４を逃し用切欠き５１７、５１７と縦枠１３の連結用嵌合溝１３１の上下端部に嵌合し、外装部９０１、９０１をコーナー金具２、２の支持突条２６、２６に外嵌し、支柱用連結孔９０９、９０９とロックユニット５の外枠連結孔５１６、５１６を、連結孔９０５、９０５と縦枠１３の連結螺孔１３４、１３４を一致させ連結ネジ５００・・・にてスライドパネル６の開放側端面に着脱自在に連結される。
【００２６】
すなわち、スライドパネル６が通常の間仕切りパネル１として使用されている状態から、不意な人の出入りを防ぐ必要のある更衣室等の出入口を開閉するためのスライドパネルとして使用されるようになったときでも、ロックユニット５とロック座５４をスライドパネル６に後付けすることにより、仮施錠機能を得ることが出来る。
【００２７】
尚、ロックユニット５の操作部５３に錠前５３１を使用し、ロック杆５２を上下動させるのにキーを使用しているが、操作部５３の構造は適宜変更可能である。
すなわち、通常、スライドパネル６は室内側に配置されるのでロック杆の操作は室内側より可能であるが、スライドパネル６が単に人の不意な出入りを防止することを主目的としていて、特に防盗性を必要としない更衣室等の出入口で使用される場合は、操作部５３の構造は上昇したロック杆５２が不用意に下降しないような構成であればどのようなものでもよい。
【００２８】
スライドパネル６（ロックユニット５が連結されたスライドパネル６も同様である。）は、間仕切りパネル１、１間に形成されたの出入口１００（図１に示す）、あるいは、間仕切りパネル１と壁面間に形成された出入口１００を開閉自在となすよう間仕切りパネル１・・・に取付けられる。
まず、直線的に連結された間仕切りパネル１・・・（連結部材３と直線型連結金具３０をもって直線的に連結されている。）の出入口１００側の間仕切りパネル１にスライドパネル６が取付られ、他の間仕切りパネル１間に形成された出入口１００を開閉する場合は、上部振れ止め部材７、下部振れ止め部材８、連結部材３、支柱５０、出入口１００の上方に配設される上框材４、上框材４の端部を間仕切りパネル１の端部と連結するための連結金具（実施例の場合は直線形連結金具３０）、及び上框材４の端部を支柱５０を介して間仕切りパネル１と連結するための連結金具（実施例の場合はＬ字形連結金具９）が使用される。
【００２９】
上部振れ止め部材７（図２、図４参照）は、出入口１００の上方で少なくとも出入口１００の開口幅全幅にわたって上面が開口した後記する案内溝４３０に上方から嵌入する嵌入突片７１と、スライドパネル６の上端面に連結される取付片７２より、横向きＬ字形に形成され、嵌入突片７１の表裏両面には滑り部材７１１、７１１が貼り付けられている。
ここで、案内溝４３０の寸法は、実施例では出入口１００の開口幅の寸法と同じに構成されているが、出入口１００から間仕切りパネル１の幅方向に渡って延出するように構成してもよい。このような構成とすることで、スライドパネル６が開放側の端部まで移動しても上部振れ止め部材７の嵌入突片７２は案内溝４３０に嵌合し続けており、スライドパネル６の横揺れが減少し、スライドパネルの移動がよりスムーズになる。
【００３０】
下部振れ止め部材８（図２、図４参照）は、スライドパネル６の下端部に下方から外嵌して固定キャスター３００、３００間に位置し、スライドパネル６の下端面と所定間隔を有して下方に位置する下方基板８３と、下方基板８３の内側と外側の端部が上方に折り曲げられ、スライドパネル６の内側と外側に位置する内外側下突壁８１、８２からなる上向きコ字形の下部倒れ止め部材８４と、下部倒れ止め部材８４の下方基板８３の下面に溶接等にて連結され、間仕切りパネル側１の下面に延出された下連結部材８５より構成され、下連結部材８５には縦枠１３の下側の連結螺孔１３４と、アジャスター２００の取付孔１２９に一致する倒れ止め金具下連結孔８６、８６が形成されている。
そして、外側下突壁８１と内側下突壁８２の内面には、スライドパネル６の円滑な移動を補助する滑り部材８７、８７が貼付けられている。
【００３１】
連結部材３（図８参照）は、縦枠１３の嵌合溝１３１に嵌合する第１嵌合部３１と、第１嵌合部３１と対称形の第２嵌合部３２を有し、上下端部を先細り状となし、所定位置には支柱５０との連結孔３１０が形成され、所定高さで、横断面鼓形に構成されている。
【００３２】
支柱５０（図１３参照）は、間仕切りパネル１のアジャスター２００・・・を除いた高さとほぼ同じ高さで、アルミの押出し成形によって四角柱状となし、上下端部を、支柱用直線連結金具、Ｔ字形連結金具、十字形連結金具、Ｌ字形連結金具９、支柱用端部連結金具９０等との連結孔５０１、５０１とする補強リブが内部に形成され、隅部の空洞上下端部を後述するＬ字形連結金具９等の嵌合突起９３等が嵌合する上下嵌合孔５０３・・・となし、四角柱状の４側端面には上下方向に渡って、縦枠１３の嵌合溝１３１と同形の支柱嵌合溝５０４・・・が形成され、下端面には連結部材３の落止め防止部材５０５が下側の連結孔５０１を利用してネジ止めされている。
【００３３】
Ｌ字形連結金具９（図１０参照）は、Ｌ字形に配設された２枚のパネル１、１の上側のコーナー金具２、２の支持突条２６、２６に外嵌し、コーナー部分が支柱５０の上面に位置する下向きコ字形で平面視Ｌ字形の外装部９１、９１と、外装部９１、９１間で支柱５０の上端面を覆う閉塞部９２と、閉塞部９２の４隅の下面から下方へ突出し、支柱５０の上嵌合孔５０３・・・に嵌合する嵌合突起９３・・・と、閉塞部９２と外装部９１、９１連続部分の下面から下方に突出し、コーナー金具２の嵌合切り欠き部２１、２１、縦枠１３、１３の嵌合溝１３１、１３１、および、支柱５０の支柱嵌合溝５０４、５０４に嵌合し、連結部材３と横断面が同形の連結脚体９４、９４と、縦枠１３、１３の連結螺孔１３４、１３４に一致する連結孔９５、９６を有する連結用筒部９７、９８と、閉塞部９２の中央に形成された支柱５０の連結孔５０１に対応する連結孔９９より構成されている。
【００３４】
直線形連結金具３０（図９参照）は、直線的に立設された間仕切りパネル１、１の上側のコーナー金具２の支持突条２６に外嵌し、上コーナー基板２３上に位置する下向きコ字形の外被部３０１と、外被部３０１の中央部下面より下方に突出し、直線的に立設された間仕切りパネル１、１の縦枠１３、１３の嵌合溝１３１、１３１、及び、上嵌合切欠き部２１、２１に嵌合する、前記連結部材３と横断面同形の連結脚体３０２と、直線的に配設された間仕切りパネル１、１の縦枠１３、１３の連結螺孔１３４に一致する連結孔３０３、３０４を有する連結用筒部３０５、３０６より構成されている。
【００３５】
上框材４（図６参照）は、実施例の場合、直線連結金具３０とＬ字形連結金具９をもって間仕切パネル１、１の上端部間（出入口１００の上方）に連結されるが、出入口１００を構成する仕様によっては、使用される連結金具は適宜選択される。
すなわち、壁面に固定された支柱５０の上端部分に上框材４の端部が連結される場合には、支柱用端部連結金具９０が使用される。
又、支柱５０を介して間仕切りパネル１・・・が直線的に連結され、この支柱５０に上框材４の端部を連結する場合には、Ｔ字形連結金具が使用される。
そして、上框材４の両端部には下記するようにコーナー金具２、２が設けられているので、間仕切りパネル１・・・同士の連結と同じ要領で、上框材４は支柱５０あるいは間仕切りパネル１と最適な連結金具を使用して連結される。
そして、間仕切りパネル１と上框材４の直線連結状態を強固に維持するため、上框材４の上面と上框材４が連結される間仕切りパネル１の上面に渡って、上補強部材４１が上框材４と支柱５０との連結時に同時に連結される。
【００３６】
上框材４は、上枠材４２と、上枠材４２の下面に取付ネジ４２０、４２０にて連結される案内支持部材４３と、上枠材４２の下方側を外装する框外装部材４４より構成されている。
上枠材４２は、間仕切りパネル１の上枠１１の開閉側端部にコーナー金具２、２を取付けて構成され、案内支持部材４３は、上枠材４２と所定間隔を有して上方に突出する案内支持突片４３１と、案内支持突片４３１の下端に連設され、上枠材４２の下面に取付孔４３３、４３３を介して連結ネジ４００、４００をもって連結される取付片４３２よりなり、案内支持突片４３１と上枠材４１間に、前記上部振れ止め部材７の嵌入突片７１が嵌入する案内溝４３０（図４参照）が出入口１００の開口幅全幅で出入口１００の上方に形成される。
框外装部材４４は、断面略上向きコ字形の外装部材４４１と、開閉側端部に上枠材４１との連結螺孔４４２、４４２を有し、外装部材４４１の内面側に固着された内部補強材４４３より構成されている。
符号４４４、４４４は連結ネジ４００、４００の頭部の逃し孔を示し、符号４４５、４４５は、直線連結金具３０の連結脚体３０２とＬ字形連結金具９の連結脚体９４の逃し用切欠きを示している。
【００３７】
上補強材４１（図６参照）は、開閉側両端部にＬ字形連結金具９の連結孔９５と直線形連結金具３０の連結孔３０３に対応して連結孔４１０、４１０が形成され、中央部に上框材４と間仕切りパネル１を連結する直線形連結金具３０の３０３、３０４に対応して中央部連結孔４１１、４１１が形成され、さらに、中央部やや開放側よりに、ロック座５４の取付孔５４１、５４１に対応して、取付孔４１２・・・が形成されている。
【００３８】
上部振れ止め部材７、下部振れ止め部材８、連結部材３、支柱５０、Ｌ字形連結金具９、上框材４は上記の如く構成されている。
そして、直線的に連結された複数枚の間仕切りパネル１・・・の端部の間仕切りパネル１にスライドパネル６を連結し、他方側の間仕切りパネル１との間に形成された出入口１００を開閉する場合は、直線連結状態から取外した間仕切りパネル１の閉鎖側端部の上下のコーナーキャップ２８、２８を取外し、下側のコーナーキャップ２８をコーナー金具２に外嵌し、コーナー金具２の貫通孔２０と、取付孔２８０を一致させ、下部倒れ止め部材８を上向きの状態で、閉鎖側の振れ止め金具下連結孔８６を取付け孔２８０と一致させ、開放側の振れ止め金具下連結孔８６をアジャスター２００の取付孔１２９に一致させ、連結ネジ５００にて下部振れ止め部材８及びコーナーキャップ２８を間仕切りパネル１の閉鎖側下端部に連結する。
【００３９】
次に、閉鎖側のアジャスター２００の取付孔１２９に床固定座２０２を介してアジャスター２００を螺合する。
次に、既に他の間仕切りパネル１と連結されている間仕切りパネル１の端部に、下部振れ止め部材８を連結した間仕切りパネル１の開放側端部を連結部材３、直線形連結金具３０等にて連結し（詳細は後記する。）、間仕切りパネル１を立設する。
【００４０】
一方、出入口１００を構成する間仕切りパネル１の出入口１００側の端部に床固定座２０２を介してアジャスター２００を取付、次に支柱５０を取付ける。
支柱５０を間仕切りパネル１に取付ける場合は、支柱嵌合溝５０４の上方から、連結部材３の第１嵌合部３１を嵌合し、連結部材３の下端面を支柱５０の下端に取付けた支柱用端部連結金具９０に当接させ、支柱５０の下端部側面から連結部材３の第２嵌合部３２が突出した状態とする。
【００４１】
そして、下側のコーナー金具２の受け部材２０１を下枠１２の端部側へスライドさせて、縦枠１３の嵌合溝１３１の下端部が開口した状態として、取外された一方の間仕切りパネル１をやや持ち上げた状態で支柱１３の嵌合溝１３１の下端部を上記支柱５０から突出している連結部材３の第２嵌合部３２に上方から嵌合させる。
そして、アジャスター２００を床面に当接させた状態で下枠１２の端部側にスライドさせていた受け部材２０１を支柱５０側にスライドさせて連結部材３の第２嵌合部３２の下面に受け部材２０１を位置せしめ、支柱５０の下端部を連結した状態の間仕切りパネル１の支柱５０の反対側の端部を、直線連結金具３０、連結部材３等にて、他方の間仕切りパネル１と連結する。
【００４２】
次に、下端部が連結された支柱５０と前記出入口１００側の間仕切りパネル１にて形成される出入口１００の上方に上框材４及び上補強材４１を次の様にして連結する。
連結ネジ４００、４００にて案内支持部材４３が下面に取付られた開閉側端部にコーナー金具２、２を有する上枠材４２の下側に框外装部材４４を重合させた状態で、開放側端部のコーナー金具２の嵌合切り欠き部２１に、直線連結金具３０の連結脚体３０２を嵌合し、閉鎖側端部のコーナー金具２の嵌合切り欠き部２１に、Ｌ字形連結金具９の連結脚体９４を嵌合し、さらに上枠材４２の上面および、直線連結金具３０とＬ字形直線金具９の上面に上補強材４１を重合させた状態で、連結ネジ５００・・にて上枠材４２、框外装部材４４、直線連結金具３０、Ｌ字形直線金具９、上補強材４１を連結する。
【００４３】
この状態で、直線連結金具３０の連結脚体３０２を間仕切りパネル１の開放側端部の縦枠１３の連結用嵌合溝１３１の上端に嵌合し、同時に、閉鎖側端部でＬ字形連結金具９の連結脚体９４を支柱５０の支柱嵌合溝５０４の上端部に嵌合し、連結孔９９、９６と支柱５０の連結孔５０１、縦枠１３の連結螺孔１３４を一致させ、同時に連結孔３０４と中央部連結孔４１１、縦枠１３の連結螺孔１３４を一致させ、さらに、連結孔４１０と端部側の縦枠１３の連結螺孔１３４を一致させ、連結ネジ５００・・・にて、上框材４等を出入口１００の上方に配設する。
この状態で、出入口１００の上方で開口幅全幅に渡って、案内溝４３０（図４）が形成される。
次に、間仕切りパネル１・・・の床固定座２０２、２０２を床面に固定し、必要に応じてアジャスター２００・・・を調節する。
【００４４】
そして、次に、下部振れ止め部材８の内外側下突壁８１、８２間に、上方より固定キャスター３００、３００間のスライドパネル６の下端部を嵌入し、さらに、上部振れ止め部材７の嵌入突片７１を案内溝４３０の上方より嵌入させ、この状態でスライドパネル６の上端面に取付片７２をネジ止めする。
この時、上部振れ止め部材７の取付片７２の下面と案内支持突片４３１の上端間、および、スライドパネル６の下枠１２と下部振れ止め部材８の下方基板８３間に所定の間隙が形成されるので、この間隙によって、スライドパネル６が開閉方向へ移動したときに床面の傾斜、凹凸によってスライドパネル６が上下動しても、スライドパネル６と上部振れ止め部材７の取付片７２と案内支持突片４３１、スライドパネル６の下面と下部振れ止め部材８の下方基板８３とは干渉することがなく、スムーズな摺動状態が得られる。
そして、スライドパネル６が開閉方向に移動した際、下部振れ止め部材８の開閉側端部にキャスター３００、３００の内面側（固定キャスターの取付けボルト内面側）が当接して停止する。
【００４５】
次に、スライドパネルを閉鎖位置まで移動させ、操作部５３を施錠状態に操作して、ロック杆５２を上方に移動した状態（図５の二点鎖線で示す状態）とし、ロック座５４の係止孔５４１内に上方に移動したロック杆５２の上端を位置せしめて、ロック座５４を上補強材４１の上面にネジ止めし着脱自在に連結する。
上記のように、上框材４と床固定座２０２、２０２によって間仕切りパネル１、１は固定されているので、スライドパネル６の開閉時に、固定キャクター３００、３００が下部振れ止め部材８に当接しても、又、スライドパネル６の閉鎖時、閉鎖側端部が閉鎖側の間仕切りパネル１に当接しても、間仕切りパネル１、１は不用意な位置づれをおこすことが
なく、出入口１００の開口幅を一定幅で確保し、スライドパネル６は安定よく出入口１００を開閉する。
【００４６】
尚、前記した間仕切りパネル１、１同士を直線的に連結する場合は、まず、一方の間仕切りパネル１の下側のコーナー金具２の受け部材２０１を間仕切りパネル１の外方側へスライドさせて縦枠１３の嵌合溝１３１の下端部を閉塞状態として、次に、該間仕切りパネル１の縦枠１３の嵌合溝１３１の上方から連結部材３の第１嵌合部３１を嵌合させて下方に移動し、連結部材３の下面を受け部材２０１に当接させて、間仕切りパネル１の外方に連結部材３の第２嵌合部３２が突出した状態とする。
次に、他方の間仕切りパネル１の下側のコーナー金具２の受け部材２０１を下枠１２の端部側へスライドさせて縦枠１３の嵌合溝１３１の下端部を開口状態として、該間仕切りパネル１をやや持ち上げた状態で、上記間仕切りパネル１から突出した連結部材３の第２嵌合部３２に嵌合溝１３１の下端を上方から嵌合させ、アジャスター２００・・・が床面に当接した状態で、間仕切りパネル１、１の下端部を連結する。
【００４７】
次に、直線形連結金具３０の連結脚体３０２を向かい合った縦枠１３、１３の嵌合溝１３１、１３１の上方より嵌合させて、上側のコーナー金具２、２の支持突条２６、２６に外被部３０１を外嵌させて、連結孔３０３、３０４を縦枠１３、１３の連結螺孔１３４、１３４と一致させ、連結ネジ５００・・・にて間仕切りパネル１、１の上端部を連結することによって、間仕切りパネル１、１を直線的に連結する。
【００４８】
一方、同じ高さの間仕切りパネル１、１をＬ字形に連結する場合は、連結部材３の第１嵌合部３１を支柱５０の支柱嵌合溝５０４の上方から嵌合させた後に下方に移動させ、連結部材３の下端面を落止め防止部材５０５に当接した状態で、連結孔３１０を利用して、連結部材３の第２嵌合部３２が支柱５０の下端部側面から外方に突出した状態にネジ等によって固定する。
次に、下側のコーナー金具２の受け部材２０１を下枠１２の端部側へスライドさせて縦枠１３の嵌合溝１３１の下端部が開口した状態の間仕切りパネル１をやや持ち上げて、上記支柱５０から突出した連結部材３の第２嵌合部３２に嵌合溝１３１の下端を嵌合させ、アジャスター２００・・・を床面に当接させた状態で間仕切りパネル１の下端部と支柱５０の下端部とを連結する。
【００４９】
次に、連結された間仕切りパネル１と９０度をなす支柱嵌合溝５０４の上方から、別の連結部材３の第１嵌合部３１を嵌合させた後に下方に移動させて、連結部材３の下端面を落止め防止部材５０５に当接させ、支柱５０の下端部側面から連結部材３の第２嵌合部３２が突出した状態とする。（図１３に示す状態。）
そして、下側のコーナー金具２の受け部材２０１を下枠１２の端部側へスライドさせて縦枠１３の嵌合溝１３１の下端部を開口状態とした別の間仕切りパネル１をやや持ち上げた状態で、上記支柱５０から突出した連結部材３の第２嵌合部３２に上方から嵌合溝１３１を嵌合させ、アジャスター２００を床面に当接させた状態で、下枠１２の端部側へスライドさせていた受け部材２０１を支柱５０側にスライドさせ、連結部材３の第２嵌合部３２の下面に受け部材２０１を位置せしめ、一方の間仕切りパネル１と別の間仕切りパネル１の下端部とが支柱５０を介してＬ字形に連結される。
【００５０】
次に、Ｌ字形連結金具９の連結脚体９４、９４を縦枠１３、１３の連結用嵌合溝１３１、１３１と支柱５０の支柱嵌合溝５０４、５０４に嵌合すると同時に、嵌合突起９３・・・を支柱５０の上嵌合孔５０３・・・に嵌合し、外装部９１を上側のコーナー金具２、２の支持突条２６、２６に外嵌させ、連結用筒部９７、９８の連結孔９５、９６、及び、連結孔９９を、縦枠１３、１３の連結螺孔１３４、１３４、及び支柱５０の連結孔５０１の上側に一致させ、Ｌ字形連結金具９、支柱５０、間仕切りパネル１、１の上端部を連結ネジ５００・・・にて連結する。
以上のようにして、支柱５０を介して、一方の間仕切りパネル１に対して他方の間仕切りパネル１がＬ字形に連結される。
【００５１】
又、高さの異なる間仕切りパネル１、１をＬ字形に連結する場合は、段違い連結金具が使用される。
段違い連結金具４０は、間仕切りパネル１の上側のコーナー金具２の支持突条２６に外嵌し、コーナー基板２３上に位置する下向きコ字形の外被部４０１と、外被部４０１の支柱５側端部側下面より下方に突出し、外被部４０１より外方に突出した部分が支柱５の支柱嵌合溝５４に嵌合し、外被部４０１側の下方が間仕切りパネル１の縦枠１３の嵌合溝１３１に嵌合する前記連結部材３と横断面同形の連結脚体４０２と、間仕切りパネル１の縦枠１３の上側の連結螺孔１３４に対応する連結孔４０３より構成されている。
そして、高さの異なる間仕切りパネル１、１をＬ字形に連結する場合は、まず、同じ高さの間仕切りパネル１、１をＬ字形に連結する手順で、間仕切りパネル１と支柱５０、連結部材３を連結し、次に、この連結部材３によって高さの低い方の間仕切りパネル１の下端部と支柱５０とを連結させて、高さの異なる間仕切りパネル１、１の下端部同士を、支柱５０を介して、Ｌ字形に連結させる。
【００５２】
次に、高さの低い方の間仕切りパネル１側の支柱嵌合溝５０４の上端より、段違い連結金具４０の連結脚体４０２の支柱５０側の部分を嵌合させて下方に移動し、連結脚体４０２の外被部４０１側の部分を高さの低い方の間仕切りパネル１の縦枠１３の嵌合溝１３１に嵌合させると同時に、上側のコーナー金具２の上支持突条２６に外被部４０１を外嵌させ、高さの低い方の間仕切りパネル１の縦枠１３の連結螺孔１３４の上側に連結孔４０３を一致させて、連結孔４０３に連結ネジ５０を螺入させることによって、高さの低い方の間仕切りパネル１と支柱５とを連結する。
次に、段違い連結金具４０の連結脚体４０２が嵌合している支柱嵌合溝５０４の上方から棒状の上り止め部材９０６を挿入する。
ここで、上り止め部材９０６は、下端を連結脚体４０２の支柱５０側の上面に当接させた状態で、上端は支柱５の上面と面一になるようにする。
【００５３】
次に、高さが高い方の間仕切りパネル１の縦枠１３の嵌合溝１３１、及び、支柱５０の支柱嵌合溝５０４の上端部に支柱用端部連結金具９０の連結脚体９０４を嵌合させながら、同時に、嵌合突起９０３・・・を支柱５０の上嵌合孔５０３・・・に嵌合させ、外装部９０１を上側のコーナー金具２の支持突条２６に外嵌し、縦枠１３の連結螺孔１３４には連結連結孔９０５を一致させ、支柱５０の連結孔５０１には支柱用連結孔９０９を一致させて、連結ネジ５００・・・を螺入させることによって、高さが高い方の間仕切りパネル１と支柱５の上端部を連結する。
【００５４】
この状態で、棒状の上り止め部材９０６の上端は、支柱用端部連結金具９０の外装部９０１の下面で閉塞されるので、上方に抜け出すことがなく、結果として、高さの低い方の間仕切りパネル１は、支柱５０に対して上方に移動することはない。
【図面の簡単な説明】
【００５５】
【図１】本発明を使用した間仕切りパネルの斜視図
【図２】図１の要部分解斜視図
【図３】ロックユニットの斜視図
【図４】スライドパネルの支持状態を示す要部拡大断面図
【図５】スライドパネルの仮施錠状態を示す要部拡大斜視図
【図６】上框材部分の要部分解斜視図
【図７】間仕切りパネルの基枠の一部分解斜視図
【図８】連結部材の斜視図
【図９】直線形連結金具の斜視図
【図１０】Ｌ字形連結金具の斜視図
【図１１】支柱用端部連結金具の斜視図
【図１２】段違い連結金具の斜視図
【図１３】同一高さの間仕切りパネル同士をＬ字形に連結した場合の要部分解斜視図
【図１４】高さの異なる間仕切りパネル同士を段違いにＬ字形に連結した場合の要部分解斜視図
【符号の説明】
【００５６】
１            間仕切りパネル
１００        出入口
２            コーナー金具
２００        アジャスター
３            連結部材
３０          直線連結金具
３００        固定キャスター
４            上框材
４０          段違い連結金具
４３０        案内溝
５            ロックユニット
５０          支柱
５１          外枠
５２          ロック杆
５３          操作部
５４          ロック座
６            スライドパネル
６１１        閉鎖用上部ストッパー
６１２        開放用上部ストッパー
７            上部振れ止め部材
７１          嵌入突片
８            下部振れ止め部材
９            Ｌ字形連結金具
９０          支柱用端部連結金具
【図１】
2005139660.tif 000003
【図２】
2005139660.tif 000004
【図３】
2005139660.tif 000005
【図４】
2005139660.tif 000006
【図５】
2005139660.tif 000007
【図６】
2005139660.tif 000008
【図７】
2005139660.tif 000009
【図８】
2005139660.tif 000010
【図９】
2005139660.tif 000011
【図１０】
2005139660.tif 000012
【図１１】
2005139660.tif 000013
【図１２】
2005139660.tif 000014
【図１３】
2005139660.tif 000015
【図１４】
2005139660.tif 000016